(57)【特許請求の範囲】
【請求項１】
板状金具を屈曲して側面略倒コ字状の金具本体を設け、該金具本体の屈曲部分近傍を切り欠いて造営材に係止する係止部を設け、造営材に緊締する締付ネジを係止部の上端にネジ止めし、一方、金具本体の開放端部近傍を切り欠いてチャンネル材の開口部内に挿入する一対の挿入片を対向するように設け、該挿入片相互に着脱自在に架設して挿入片を補強する補強金具を設け、該挿入片と補強金具との接合部分に夫々嵌合する嵌合溝を設け、挿入片の嵌合溝に補強金具の嵌合溝を嵌合すると共に、挿入片の弾性拡開力で補強金具を固定するように設けたことを特徴とするチャンネル材支持金具。
【請求項２】
前記補強金具は、チャンネル材の開口部の幅に適合する長さの補強金具を前記挿入片に装着してチャンネル材の開口部内に挿入する請求項１記載のチャンネル材支持金具。
【請求項３】
吊りボルトをネジ止めする連結孔を前記補強片に設けた請求項１記載のチャンネル材支持金具。
【発明の詳細な説明】
【０００１】
【発明の属する技術分野】
本発明は、例えば形鋼のフランジ等にチャンネル材を固定する際に使用するチャンネル材支持金具に関する。
【０００２】
【従来の技術】
従来、形鋼のフランジ等に部材を固定する金具として、当出願人が先に提案した特開2002-98266記載の配管用支持金具などがある。この支持金具は、側面略コ字形状に屈曲した金具本体の上板上面から、金具本体の内部に向けて突出する締付ネジを設けたもので、金具本体の内部に挿入した形鋼のフランジを、金具本体の下板と締付ネジとで挟着して金具本体をフランジに固定するものである。
【０００３】
一方、チャンネル材や吊りボルトを固定するために、前記コ字形状の金具本体を改良したチャンネル支持金具が登録実用新案第3010982号に記載されている。この支持金具は、チャンネル材の開口部に金具本体の一端部を挿入できるように形成したものである。
【０００４】
【発明が解決しようとする課題】
前者の配管用支持金具で用いる支持金具は、支持強度に優れ、使用勝手が良い支持金具として、古くから種々の目的で使用されており、他の連結部材を組み合わせることで配管から吊りボルトなど多くの部材を連結することが可能になっている。ところが、この支持金具は、支持強度を高めるために上下の板体を幅広に形成すると共に、板体の左右両側に補強用のリブを設けているので、この支持金具を用いてチャンネル材を連結する場合、支持金具の一部をチャンネル材の開口部に挿入することができない形状になっていた。
【０００５】
そこで、後者のチャンネル支持金具が考案されている。この支持金具は、チャンネル材の開口部に挿入できるように、下板の幅を狭くすると共に、前記支持金具に設けていた補強リブを形成しない構成になっている。そのため、チャンネル材の開口部に挿入できるようにはなっているが、支持強度が低下することになり荷重が増加したり、締付けネジの締付けトルクが強過ぎたりすると、側面コ字形状の金具自体が次第に開いてしまうおそれがあった。
【０００６】
しかも、チャンネル材の開口部に挿入するサイズに形成しているので、適応サイズが挿入部分のサイズに限定されてしまう。したがって、挿入部分の幅が狭い支持金具を開口部が広いタイプのチャンネル材に装着すると不安定になり、安全な固定が困難になり、他のサイズに対応できない不都合が生じていた。
【０００７】
そこで本発明は上述の課題を解消すべく創出されたもので、チャンネル材の開口部分を利用してチャンネル材を形鋼のフランジ等に容易に連結することができしかも、優れた強度を有し、チャンネル材の異なるサイズにも適合させることが可能なチャンネル材支持金具の提供を目的とする。
【０００８】
【課題を解決するための手段】
上述の目的を達成すべく本発明の第１の手段は、板状金具を屈曲して側面略倒コ字状の金具本体１を設け、該金具本体１の屈曲部分１Ａ近傍を切り欠いて造営材Ｐに係止する係止部２を設け、造営材Ｐに緊締する締付ネジ５を係止部２の上端にネジ止めし、一方、金具本体１の開放端部１Ｂ近傍を切り欠いてチャンネル材Ｑの開口部内に挿入する一対の挿入片３を対向するように設け、該挿入片３相互に着脱自在に架設して挿入片３を補強する補強金具４を設け、該挿入片３と補強金具４との接合部分に夫々嵌合する嵌合溝３Ａ、４Ａを設け、挿入片３の嵌合溝３Ａに補強金具の嵌合溝４Ａを嵌合すると共に、挿入片３の弾性拡開力で補強金具４を固定するように設けたことにある。
【０００９】
第２の手段における補強金具４は、チャンネル材Ｑの開口部の幅に適合する長さの補強金具４を挿入片３に装着してチャンネル材Ｑの開口部内に挿入するものである。
【００１０】
第３の手段は、吊りボルトＲをネジ止めする連結孔４Ｂを補強金具４に設けたことを課題解消のための手段とする。
【００１１】
本発明によると、一対の挿入片３とこの挿入片３に装着する補強金具４とにより支持強度を高め、また、補強金具４を交換することで、連結する部材のサイズや種類を変更できるようにしたものである。
【００１２】
【発明の実施の形態】
以下、図面を参照して、本発明の実施の形態を詳細に説明する。本発明支持金具は、金具本体１と補強金具４と締付ネジ５とで構成する（図１参照）。
【００１３】
金具本体１は、板状金具を屈曲して側面略倒コ字状の金具本体１を設けたものである。図示の金具本体１は、正面略矩形状を成した金具本体１に、係止部２と挿入片３とを設けることで正面略コ字状に形成している。
【００１４】
係止部２は、金具本体１の屈曲部分１Ａ近傍を切り欠き、突出した部分を係止部２とする。そして、この係止部２を、Ｈ形鋼などの造営材ＰのフランジＰ１上面に係止した状態で、係止部２の上端にネジ止めした締付ネジ５を造営材Ｐに緊締するものである。
【００１５】
一方、挿入片３は、金具本体１の開放端部１Ｂ近傍を切り欠いて突出した部分を挿入片３とするもので、この挿入片３をチャンネル材Ｑの開口部内に挿入する（図２参照）。図示の挿入片３は、一対の挿入片３を対向する相似形に設け、該挿入片３の上端縁に嵌合溝３Ａを形成している（図１参照）。この嵌合溝３Ａは、後述する補強金具４を嵌合する溝である。
【００１６】
補強金具４は、挿入片３相互に着脱自在に架設して挿入片３を補強する金具である（図３参照）。図示の補強金具４は断面倒コ字状を成した金具に、前記挿入片３に形成した嵌合溝３Ａに嵌合する嵌合溝４Ａを形成している（図２参照）。これらの嵌合溝３Ａ、４Ａを嵌合する際に、挿入片３相互をつまんだ状態で嵌合溝３Ａ、４Ａ相互を嵌合させ、その後つまんだ挿入片３を離すことで、挿入片３の弾性拡開力が補強金具４を確実に固定するものである。このように固定された補強金具４を挿入片３ごとチャンネル材Ｑの開口部内に挿入し、前記締付ネジ５で緊締することで、造営材Ｐにチャンネル材Ｑを連結するものである。
【００１７】
補強金具４は、サイズが異なるチャンネル材Ｑの開口部の幅に適合する長さに合わせて数種類用意しておくことで、チャンネル材Ｑのサイズに合わせて補強金具４を選択することができる。
【００１８】
また、図４に示す補強金具４は、チャンネル材Ｑに代えて吊りボルトＲを連結するタイプである。この補強金具４は、倒コ字状に屈曲した屈曲部分に吊りボルトＲをネジ止めする連結孔４Ｂを補強金具４に設けている。図示の連結孔４Ｂはタップ立て加工を施しているが、連結孔４Ｂを貫通する吊りボルトＲにナットをネジ止めしてもよい（図示せず）。さらに、開放端部を上向きにして幅広の係止片４Ｃを延長している。そして、挿入片３に固定した補強金具４を造営材ＰのフランジＰ１下面に装着し、締付ネジ５を締め付けて吊りボルトＲを固定する（図５参照）。
【００１９】
締付ネジ５は、係止部２の頂部に設けたネジ孔２Ａにネジ止めしている（図２参照）。図示のネジ孔２Ａは、タップ立て加工をして直接固定ネジ５をネジ止めできるように形成している。
【００２０】
【発明の効果】
本発明は、上述の如く構成したことにより、当初の目的を達成する。
【００２１】
すなわち、金具本体１の屈曲部分１Ａ近傍を切り欠いて造営材Ｐに係止する係止部２を設け、造営材Ｐに緊締する締付ネジ５を係止部２の上端にネジ止めし、一方、金具本体１の開放端部１Ｂ近傍を切り欠いてチャンネル材Ｑの開口部内に挿入する一対の挿入片３を対向するように設け、該挿入片３相互に着脱自在に架設して挿入片３を補強する補強金具４を設けたことにより、チャンネル材の開口部分を利用してチャンネル材を形鋼のフランジ等に容易に連結することができる。
【００２２】
しかも、一対の挿入片３に補強金具４を架設して補強するので、優れた強度を有し、支持荷重が増加したり、締付けネジの締付けトルクが強くなり過ぎたりしたとしても、側面コ字形状の金具自体が次第に開いてしまうおそれは解消した。
【００２３】
また、挿入片３と補強金具４との接合部分に夫々嵌合する嵌合溝３Ａ、４Ａを設け、挿入片３の嵌合溝３Ａに補強金具の嵌合溝４Ａを嵌合すると共に、挿入片３の弾性拡開力で補強金具４を固定することで、挿入片３と補強金具４とを一体化した状態で連結できる。この結果、補強金具４の装着状態を確実なものにできる。
【００２４】
更に、補強金具４は、チャンネル材Ｑの開口部の幅に適合する長さの補強金具４を挿入片３に装着してチャンネル材Ｑの開口部内に挿入するものであるから、チャンネル材の異なるサイズにも充分適合させることが可能になった。
【００２５】
そして、吊りボルトＲをネジ止めする連結孔４Ｂを補強金具４に設けたことで、チャンネル材Ｑばかりでなく、吊りボルトＲを造営材Ｐに連結することもできる。
【００２６】
このように本発明によると、チャンネル材の開口部分を利用してチャンネル材を形鋼のフランジ等に容易に連結することができ、しかも、優れた強度を有し、チャンネル材の異なるサイズや吊りボルトにも使用することが可能になるなどといった有益な種々の効果を奏するものである。
【図面の簡単な説明】
【図１】  本発明の一実施例を示す斜視図。
【図２】  本発明の使用状態を示す側面図。
【図３】  本発明の実施例を示す分解斜視図。
【図４】  本発明の他の補強金具を示す斜視図。
【図５】  本発明の他の補強金具を使用した状態を示す要部側面図。
【符号の説明】
Ｐ 造営材        Ｐ１ フランジ
Ｑ チャンネル材
Ｒ 吊りボルト
１ 金具本体      １Ａ 屈曲部分
１Ｂ 開放端部
２ 係止部        ２Ａ ネジ孔
３ 挿入片        ３Ａ 嵌合溝
４ 補強金具      ４Ａ 嵌合溝
４Ｂ 連結孔
４Ｃ 係止片
５ 締付ネジ
【図１】
0003826380.tif 000002
【図２】
0003826380.tif 000003
【図３】
0003826380.tif 000004
【図４】
0003826380.tif 000005
【図５】
0003826380.tif 000006